(57)【要約】【課題】ソフトウェアの変更によらずに通常モードとデモンストレーションモードが切替可能な電子機器において、ユーザの通常使用時にデモンストレーションモードに入ることを防止しつつ、簡易な操作でデモンストレーションモードに入ることを可能とする。【解決手段】デモ用データ検出部２４は、電子機器１０に接続された外部メモリＥｘＭ内の特定のフォルダ内に格納された画像ファイルをデモ用データＤとして検出する。動作モード制御部２８は、外部メモリＥｘＭ内にデモ用データＤが検出された場合に、電子機器１０をデモモードで動作させる。一方、動作モード制御部２８は、外部メモリＥｘＭが接続されていない場合、及び、外部メモリＥｘＭ内にデモ用データＤが記憶されていない場合には、電子機器１０を通常モードで動作させる。デモ用データ出力制御部３０は、デモモードにおいて、外部メモリＥｘＭ内のデモ用データＤを表示部１２に表示させる。【選択図】図１
2018146840.tif 000002
【特許請求の範囲】
【請求項１】
外部記憶媒体が接続される外部記憶媒体接続部と、
前記外部記憶媒体接続部に接続された前記外部記憶媒体にデモンストレーション用データが記憶されているか否かを検出する検出部と、
前記外部記憶媒体接続部に接続された前記外部記憶媒体にデモンストレーション用データが記憶されている場合に、自装置をデモンストレーションモードで動作させ、前記外部記憶媒体接続部に前記外部記憶媒体が接続されていない場合、及び、前記外部記憶媒体接続部に接続された前記外部記憶媒体にデモンストレーション用データが記憶されていない場合に、自装置を通常モードで動作させる動作モード制御部と、
を備えることを特徴とする電子機器。
【請求項２】
前記検出部は、前記外部記憶媒体接続部に接続された前記外部記憶媒体内の特定のフォルダ内に格納されたデータを前記デモンストレーション用データとして検出する、
ことを特徴とする請求項１に記載の電子機器。
【請求項３】
前記電子機器はオーディオプレイヤであり、
前記デモンストレーション用データは画像データである、
ことを特徴とする請求項２に記載の電子機器。
【請求項４】
自装置が前記デモンストレーションモードで動作している場合に、前記外部記憶媒体に記憶された前記デモンストレーション用データを出力部から出力させる出力制御部と、
をさらに備えることを特徴とする請求項１に記載の電子機器。
【請求項５】
前記出力制御部は、前記デモンストレーション用データのデータ名の少なくとも一部に基づいて、当該デモンストレーション用データの出力態様を決定する、
ことを特徴とする請求項４に記載の電子機器。
【請求項６】
前記外部記憶媒体には前記デモンストレーション用データが複数記憶され、
前記出力制御部は、各前記デモンストレーション用データのデータ名の少なくとも一部に基づいて、各前記デモンストレーション用データの出力順を決定する、
ことを特徴とする請求項５に記載の電子機器。
【請求項７】
前記出力制御部は、前記デモンストレーション用データのデータ名から所定の条件で抽出した文字に基づいて、当該デモンストレーション用データの出力時間を決定する、
ことを特徴とする請求項５に記載の電子機器。
【請求項８】
前記出力制御部は、自装置が前記デモンストレーションモードで動作している場合であって、自装置に対する操作が所定時間無い場合に、前記デモンストレーション用データを出力させる、
ことを特徴とする請求項４から７のいずれか１項に記載の電子機器。
【請求項９】
バッテリと、
前記バッテリが充電中か否かを判定する充電判定部と、
をさらに備え、
前記動作モード制御部は、前記外部記憶媒体接続部に接続された前記外部記憶媒体にデモンストレーション用データが記憶されている場合であって、且つ、前記充電判定部が充電中であると判定した場合に、自装置をデモンストレーションモードで動作させる、
ことを特徴とする請求項１から６のいずれか１項に記載の電子機器。
【請求項１０】
電子機器の外部記憶媒体接続部に接続された外部記憶媒体にデモンストレーション用データが記憶されているか否かを検出する検出ステップと、
前記外部記憶媒体接続部に接続された前記外部記憶媒体にデモンストレーション用データが記憶されている場合に、前記電子機器をデモンストレーションモードで動作させ、前記外部記憶媒体接続部に前記外部記憶媒体が接続されていない場合、及び、前記外部記憶媒体接続部に接続された前記外部記憶媒体にデモンストレーション用データが記憶されていない場合に、前記電子機器を通常モードで動作させる動作モード制御ステップと、
を含むことを特徴とする方法。
【請求項１１】
コンピュータを、
外部記憶媒体が接続される外部記憶媒体接続部と、
前記外部記憶媒体接続部に接続された前記外部記憶媒体にデモンストレーション用データが記憶されているか否かを検出する検出部と、
前記外部記憶媒体接続部に接続された前記外部記憶媒体にデモンストレーション用データが記憶されている場合に、自装置をデモンストレーションモードで動作させ、前記外部記憶媒体接続部に前記外部記憶媒体が接続されていない場合、及び、前記外部記憶媒体接続部に接続された前記外部記憶媒体にデモンストレーション用データが記憶されていない場合に、自装置を通常モードで動作させる動作モード制御部と、
として機能させることを特徴とするプログラム。
【請求項１２】
コンピュータを、
外部記憶媒体が接続される外部記憶媒体接続部と、
前記外部記憶媒体接続部に接続された前記外部記憶媒体にデモンストレーション用データが記憶されているか否かを検出する検出部と、
前記外部記憶媒体接続部に接続された前記外部記憶媒体にデモンストレーション用データが記憶されている場合に、自装置をデモンストレーションモードで動作させ、前記外部記憶媒体接続部に前記外部記憶媒体が接続されていない場合、及び、前記外部記憶媒体接続部に接続された前記外部記憶媒体にデモンストレーション用データが記憶されていない場合に、自装置を通常モードで動作させる動作モード制御部と、
として機能させるためのプログラムを記録したコンピュータ読み取り可能な記録媒体。
【発明の詳細な説明】
【技術分野】
【０００１】
本発明は、電子機器、方法、プログラム、及び、コンピュータ読み取り可能な記録媒体に関し、特に、デモンストレーションモードで動作可能な電子機器、方法、プログラム、及び、コンピュータ読み取り可能な記録媒体に関する。
【背景技術】
【０００２】
従来、例えば店頭などの展示場所において、客などに対して動作をアピールするため、あるいは客などの興味を引くための動作モードであるデモンストレーションモードで動作可能な電子機器が知られている。デモンストレーションモードにおいては、ユーザが電子機器を通常使用する際の動作モードである通常モードとは異なる動作をするのが一般的である。例えば、デモンストレーションモードにおいては、デモンストレーション用の映像又は音声が出力可能となっていたり、通常モードに比して電子機器の一部の設定が固定、あるいは一部の機能が制限されたりしている。
【０００３】
例えば、特許文献１には、食器洗浄乾燥機のハードウェア構成の違いに着目して、食器洗浄乾燥機にＥＥＰＲＯＭが実装されている場合には通常の動作を行い、ＥＥＰＲＯＭが実装されていない場合にはデモンストレーションの動作を行うことが記載されている。
【先行技術文献】
【特許文献】
【０００４】
【特許文献１】特開２００５−３４２３０１号公報
【発明の概要】
【発明が解決しようとする課題】
【０００５】
例えば、コスト低減の観点から、デモンストレーション用のハードウェアと、通常用（量産用）のハードウェアを共用化することが考えられる。このような場合、電子機器に搭載（インストール）されるソフトウェアによって、当該電子機器をデモンストレーションモードで動作させるか、通常モードで動作させるか決定する必要がある。
【０００６】
上述のように、デモンストレーションモードと通常モードとでは異なる動作をするのが一般的であるから、ユーザが通常使用しているときに、電子機器がデモンストレーションモードに入ってしまうのは適切ではない。このような観点から、デモンストレーションモード専用のソフトウェアと、通常モード専用のソフトウェアを別々に用意することが考えられる。しかしながら、これらのソフトウェアを別々に用意するとなると、開発コストが嵩んでしまうという問題が発生する。
【０００７】
したがって、電子機器において、ソフトウェアを変更せずに、すなわち単一のソフトウェアにおいて、ユーザの通常使用時においてデモンストレーションモードに入ることを防ぎつつ、展示場所などにおいては、簡易な操作でデモンストレーションモードに入ることを可能にすることが望まれる。
【０００８】
本発明の目的は、ソフトウェアの変更によらずに通常モードとデモンストレーションモードが切替可能な電子機器において、ユーザの通常使用時にデモンストレーションモードに入ることを防止しつつ、簡易な操作でデモンストレーションモードに入ることを可能とすることにある。
【課題を解決するための手段】
【０００９】
本発明は、外部記憶媒体が接続される外部記憶媒体接続部と、前記外部記憶媒体接続部に接続された前記外部記憶媒体にデモンストレーション用データが記憶されているか否かを検出する検出部と、前記外部記憶媒体接続部に接続された前記外部記憶媒体にデモンストレーション用データが記憶されている場合に、自装置をデモンストレーションモードで動作させ、前記外部記憶媒体接続部に前記外部記憶媒体が接続されていない場合、及び、前記外部記憶媒体接続部に接続された前記外部記憶媒体にデモンストレーション用データが記憶されていない場合に、自装置を通常モードで動作させる動作モード制御部と、を備えることを特徴とする電子機器である。
【００１０】
望ましくは、前記検出部は、前記外部記憶媒体接続部に接続された前記外部記憶媒体内の特定のフォルダ内に格納されたデータを前記デモンストレーション用データとして検出する、ことを特徴とする。
【００１１】
望ましくは、前記電子機器はオーディオプレイヤであり、前記デモンストレーション用データは画像データである、ことを特徴とする。
【００１２】
望ましくは、自装置が前記デモンストレーションモードで動作している場合に、前記外部記憶媒体に記憶された前記デモンストレーション用データを出力部から出力させる出力制御部と、をさらに備えることを特徴とする。
【００１３】
望ましくは、前記出力制御部は、前記デモンストレーション用データのデータ名の少なくとも一部に基づいて、当該デモンストレーション用データの出力態様を決定する、ことを特徴とする。
【００１４】
望ましくは、前記外部記憶媒体には前記デモンストレーション用データが複数記憶され、前記出力制御部は、各前記デモンストレーション用データのデータ名の少なくとも一部に基づいて、各前記デモンストレーション用データの出力順を決定する、ことを特徴とする。
【００１５】
望ましくは、前記出力制御部は、前記デモンストレーション用データのデータ名から所定の条件で抽出した文字に基づいて、当該デモンストレーション用データの出力時間を決定する、ことを特徴とする。
【００１６】
望ましくは、前記出力制御部は、自装置が前記デモンストレーションモードで動作している場合であって、自装置に対する操作が所定時間無い場合に、前記デモンストレーション用データを出力させる、ことを特徴とする。
【００１７】
望ましくは、バッテリと、前記バッテリが充電中か否かを判定する充電判定部と、をさらに備え、前記動作モード制御部は、前記外部記憶媒体接続部に接続された前記外部記憶媒体にデモンストレーション用データが記憶されている場合であって、且つ、前記充電判定部が充電中であると判定した場合に、自装置をデモンストレーションモードで動作させる、ことを特徴とする。
【００１８】
また、本発明は、電子機器の外部記憶媒体接続部に接続された外部記憶媒体にデモンストレーション用データが記憶されているか否かを検出する検出ステップと、前記外部記憶媒体接続部に接続された前記外部記憶媒体にデモンストレーション用データが記憶されている場合に、前記電子機器をデモンストレーションモードで動作させ、前記外部記憶媒体接続部に前記外部記憶媒体が接続されていない場合、及び、前記外部記憶媒体接続部に接続された前記外部記憶媒体にデモンストレーション用データが記憶されていない場合に、前記電子機器を通常モードで動作させる動作モード制御ステップと、を含むことを特徴とする方法である。
【００１９】
また、本発明は、コンピュータを、外部記憶媒体が接続される外部記憶媒体接続部と、  前記外部記憶媒体接続部に接続された前記外部記憶媒体にデモンストレーション用データが記憶されているか否かを検出する検出部と、前記外部記憶媒体接続部に接続された前記外部記憶媒体にデモンストレーション用データが記憶されている場合に、自装置をデモンストレーションモードで動作させ、前記外部記憶媒体接続部に前記外部記憶媒体が接続されていない場合、及び、前記外部記憶媒体接続部に接続された前記外部記憶媒体にデモンストレーション用データが記憶されていない場合に、自装置を通常モードで動作させる動作モード制御部と、として機能させることを特徴とするプログラムである。
【００２０】
また、本発明は、コンピュータを、外部記憶媒体が接続される外部記憶媒体接続部と、  前記外部記憶媒体接続部に接続された前記外部記憶媒体にデモンストレーション用データが記憶されているか否かを検出する検出部と、前記外部記憶媒体接続部に接続された前記外部記憶媒体にデモンストレーション用データが記憶されている場合に、自装置をデモンストレーションモードで動作させ、前記外部記憶媒体接続部に前記外部記憶媒体が接続されていない場合、及び、前記外部記憶媒体接続部に接続された前記外部記憶媒体にデモンストレーション用データが記憶されていない場合に、自装置を通常モードで動作させる動作モード制御部と、として機能させるためのプログラムを記録したコンピュータ読み取り可能な記録媒体である。
【発明の効果】
【００２１】
本発明によれば、ソフトウェアの変更によらずに通常モードとデモンストレーションモードが切替可能な電子機器において、ユーザの通常使用時にデモンストレーションモードに入ることを防止しつつ、簡易な操作でデモンストレーションモードに入ることを可能とすることができる。
【図面の簡単な説明】
【００２２】
【図１】本実施形態に係る電子機器の構成概略図である。
【図２】本実施形態に係る外部メモリのフォルダ名及びデモ用データのファイル名を示す図である。
【図３】本実施形態に係る電子機器の処理の流れを示すフローチャートである。
【発明を実施するための形態】
【００２３】
以下、本発明の実施形態について説明する。
【００２４】
図１には、本実施形態に係る電子機器１０の構成概略図が示されている。以下、電子機器１０が携帯用電子機器、より詳しくは携帯用オーディオプレイヤである例について本実施形態を説明するが、電子機器１０としてはそれに限られない。例えば、電子機器１０は、据え置き型の機器（例えばＡＶアンプ、据え置き型オーディオプレイヤなど）であってもよい。
【００２５】
電子機器１０の記憶部（図１において不図示）には、電子機器１０の動作モードを、デモンストレーション（以下「デモ」と記載する）モードと通常モードとの間で切替可能なソフトウェアが記憶（インストール）されている。当該ソフトウェアは量産用ソフトウェアであり、ユーザが通常使用する際にも使用されると共に、店頭などの展示場所に展示されているときにも使用されるソフトウェアである。通常モードとは、ユーザが電子機器１０を通常使用する際の動作モードである。デモモードは、例えば店頭などの展示場所において動作することが想定される動作モードであり、通常モードとは異なる動作をするものである。例えば、本実施形態におけるデモモードにおいては、より良い音を客などに聴かせるべく、再生音の音質設定が最高音質に固定される。また、本実施形態におけるデモモードにおいては、所定の条件を満たした場合にデモ用データ（詳細後述）が出力される。
【００２６】
また、電子機器１０の記憶部には、電子機器１０の各部を動作させるためのプログラムが記憶されている。当該プログラムによって、電子機器１０が有する以下の種々の機能が発揮される。また、そのようなプログラムは、コンピュータ読み取り可能であり（例えば電子機器１０が読み取り可能であり）非一時的な記録媒体に記憶されていてもよい。
【００２７】
出力部としての表示部１２は、例えば液晶パネルなどから構成される。表示部１２には、電子機器１０において再生中の楽曲に関する情報、再生ボリューム値、再生音質設定、再生カウンタなどの各種情報が表示される。また、表示部１２には、ユーザが電子機器１０を操作する際に用いるユーザインターフェースが表示される。さらに、表示部１２には、電子機器１０がデモモードで動作した場合であって所定の条件を満たした場合に、デモ用データとしての画像データが表示される（詳細後述）。
【００２８】
音声出力部１４は、例えばスピーカ、スピーカ駆動回路、及びアンプ回路などを含んで構成される。音声出力部１４は、ユーザにより再生指示された楽曲を音声として出力する。また、音声出力部１４は、デモモードで動作した場合であって所定の条件を満たした場合に、デモ用データとしての音声データが音声として出力される。つまり、音声出力部１４もデモ用データを出力する出力部として機能することができる。
【００２９】
外部記憶媒体接続部としての外部メモリ接続部１６は、例えばＳＤカードスロットあるいはＵＳＢコネクタなどで構成される。外部メモリ接続部１６は、外部記憶媒体である外部メモリＥｘＭが接続されるものである。外部メモリＥｘＭにはデモ用データＤが記憶される。外部メモリＥｘＭにおけるデモ用データＤの記憶態様については後述する。本実施形態では、デモ用データＤは画像データとするが、上述の通りデモ用データＤは音声データであってもよい。
【００３０】
バッテリ１８は、充電可能な２次電池であり、例えばリチウムイオンバッテリなどで構成される。バッテリ１８は、電子機器１０の各部に電力を供給するものである。
【００３１】
外部電源接続部２０は、例えばＵＳＢコネクタあるいは電源コネクタなどで構成される。外部電源接続部２０は、外部電源と接続するためのものである。外部電源としては、例えばＵＳＢコネクタから電力を供給可能なパーソナルコンピュータであってもよく、また商用電源などであってもよい。外部電源が商用電源である場合には、商用電源と外部電源接続部２０との間に、商用電源を所定電圧の直流電圧に変換するＡＣアダプタが設けられるのが望ましい。
【００３２】
制御部２２は、例えばＣＰＵ（Central Processing Unit）あるいはマイクロコントローラなどから構成される。制御部２２は、電子機器１０の記憶部に記憶されたプログラムに従って、電子機器１０の各部を制御するものである。また、図１に示されるように、制御部２２は、検出部としてのデモ用データ検出部２４、充電判定部２６、動作モード制御部２８、及び、出力制御部としてのデモ用データ出力制御部３０としても機能する。以下、制御部２２が有する各機能について説明する。
【００３３】
デモ用データ検出部２４は、外部メモリ接続部１６に接続された外部メモリＥｘＭに、デモ用データＤが記憶されているか否かを検出する。本実施形態におけるデモ用データ検出部２４によるデモ用データＤの検出方法は以下の通りである。
【００３４】
まず、デモ用データ検出部２４は、外部メモリ接続部１６に外部メモリＥｘＭが接続されているか否かを検出する。
【００３５】
外部メモリ接続部１６に外部メモリＥｘＭが接続されている場合には、デモ用データ検出部２４は、次いで、外部メモリ接続部１６に接続された外部メモリＥｘＭ（以下、単に「外部メモリＥｘＭ」と記載する）内に、デモ用データＤが格納されるべき特定のフォルダであるデモ用フォルダが存在するか否かを検出する。本実施形態では、予め定められたフォルダ名を有するフォルダがデモ用データとして検出される。予め定められたフォルダ名は、量産用ソフトウェアにおいて定義され、電子機器１０の記憶部に記憶されていてよい。本実施形態では、「Demo_folder」というフォルダ名が定義されているとする。つまり、本実施形態では、デモ用データ検出部２４は、外部メモリＥｘＭ内に「Demo_folder」というフォルダ名のフォルダが存在する場合に、当該フォルダをデモ用フォルダとして検出する。あるいは、デモ用データ検出部２４は、予め定められた名称を含むフォルダ名を有するフォルダをデモ用フォルダとして検出するようにしてもよい。例えば、予め定められた名称が「Demo_folder」である場合には、「Demo_folder_No1」などのフォルダ名を有するフォルダをデモ用フォルダとして検出するようにしてもよい。一方、外部メモリＥｘＭ内にデモ用フォルダが検出されなかった場合、デモ用データ検出部２４は、外部メモリＥｘＭ内にデモ用データＤが記憶されていないと判定する。
【００３６】
外部メモリＥｘＭ内においてデモ用フォルダが検出された場合、デモ用データ検出部２４は、さらに、検出したデモ用フォルダ内に画像データ（画像ファイル）が存在するか否かを判定する。そして、デモ用データ検出部２４は、デモ用フォルダ内に画像ファイルが存在する場合に、当該画像ファイルをデモ用データＤとして検出する。つまり、外部メモリＥｘＭに、デモ用データＤが記憶されていると判定する。一方、検出したデモ用フォルダ内に画像ファイルが検出されなかった場合、デモ用データ検出部２４は、外部メモリＥｘＭ内にデモ用データＤが記憶されていないと判定する。
【００３７】
なお、上記のデモ用データＤの検出方法は一例であり、デモ用データ検出部２４は、上記以外の方法によって、外部メモリＥｘＭにデモ用データＤが記憶されているか否かを検出するようにしてもよい。
【００３８】
例えば、デモ用データ検出部２４は、外部メモリＥｘＭのフォルダ構成に関わらず、予め定められたファイル名を有するファイル、あるいは予め定められた名称を含むファイル名を有するファイルをデモ用データＤとして外部メモリＥｘＭ内から検出するようにしてもよい。また、外部メモリＥｘＭのボリュームラベルを検出し、検出したボリュームラベルも考慮してデモ用フォルダ（あるいはデモ用データＤ）を検出するようにしても良い。
【００３９】
また、デモ用データ検出部２４は、予め定められた拡張子のファイルをデモ用データＤとして外部メモリＥｘＭ内から検出するようにしてもよい。
【００４０】
また、本実施形態では、デモ用データ検出部２４は、フォルダ名のみに基づいてデモ用フォルダを検出していたが、予めフォルダパスを定めておき、外部メモリＥｘＭ内に予め定められたフォルダパスのフォルダが存在する場合に、当該フォルダをデモ用フォルダとして検出するようにしてもよい。例えば、予めフォルダパスとして「D:\Demo\Gazo_folder」というフォルダパスが定められている場合は、例えば「D:\ Gazo_folder」というフォルダパスを有するフォルダはデモ用フォルダとしては検出されず、「D:\Demo\Gazo_folder」というフォルダパスを有するフォルダがデモ用フォルダとして検出されるようにしてもよい。
【００４１】
充電判定部２６は、バッテリ１８が充電中であるか否かを判定する。本実施形態では、充電判定部２６は、外部電源接続部２０へ外部電源が接続されているか否かによって、バッテリ１８が充電中であるか否かを判定するが、その他の方法によってバッテリ１８が充電中であるか否かを判定してもよい。例えば、充電判定部２６は、バッテリ１８のＳＯＣ（State Of Charge）の変化を検出することで、バッテリ１８が充電中か否かを判定するようにしてもよい。
【００４２】
動作モード制御部２８は、デモ用データ検出部２４の検出結果に応じて、電子機器１０の動作モードを、デモモードと通常モードとの間で切り替える制御を行う。具体的には、デモ用データ検出部２４が、外部メモリＥｘＭ内にデモ用データＤを検出した場合、つまり、外部メモリＥｘＭにデモ用データＤが記憶されていると判定した場合は、動作モード制御部２８は、電子機器１０をデモモードで動作させる。一方、デモ用データ検出部２４が、外部メモリ接続部１６に外部メモリＥｘＭが接続されていないと判定した場合、及び、外部メモリＥｘＭにデモ用データＤが記憶されていないと判定した場合は、動作モード制御部２８は、電子機器１０を通常モードで動作させる。
【００４３】
望ましくは、動作モード制御部２８は、デモ用データ検出部２４が、外部メモリＥｘＭにデモ用データＤが記憶されていると判定し、且つ、バッテリ１８が充電中であると充電判定部２６が判定した場合に、電子機器１０をデモモードで動作させるようにしてもよい。つまり、外部メモリＥｘＭにデモ用データＤが記憶されていても、バッテリ１８が充電中でない場合には、動作モード制御部２８は、電子機器１０をデモモードにしない、すなわち通常モードで動作させるようにしてもよい。
【００４４】
デモ用データ出力制御部３０は、電子機器１０がデモモードで動作している場合に、外部メモリＥｘＭに記憶されたデモ用データＤを表示部１２に出力させる。つまり、画像ファイルであるデモ用データＤの内容を表示部１２に表示させる。上述のように、デモ用データＤは音声ファイルであってもよく、その場合には、デモ用データ出力制御部３０は、音声ファイルであるデモ用データＤの内容を音声出力部１４から音声として出力させる。
【００４５】
また、デモ用データ出力制御部３０は、外部メモリＥｘＭに記憶されたデモ用データＤのデータ名（ファイル名）の少なくとも一部に基づいて、デモ用データＤの出力態様を決定するようにしてもよい。出力態様とは、例えば、各デモ用データＤの出力時間、デモ用フォルダに複数のデモ用データＤが格納されている場合には、当該複数のデモ用データＤの出力順、デモ用データＤが画像ファイルである場合における表示輝度、デモ用データＤが音声ファイルである場合における出力音量などを含む概念である。
【００４６】
本実施形態においては、デモ用フォルダに複数のデモ用データＤが格納されている場合、デモ用データ出力制御部３０は、各デモ用データＤのファイル名の少なくとも一部に基づいて、各デモ用データＤの表示順を決定する。本実施形態では、デモ用データ出力制御部３０は、各デモ用データＤのファイル名の昇順に各デモ用データＤを表示していく。つまり、各デモ用データＤのファイル名の先頭から数文字分に基づいて、各デモ用データＤの表示順を決定する。図２に示すように、本実施形態では、デモ用フォルダに格納された各デモ用データＤのファイル名の頭には、「001」、「002」、「003」という文字列が付されており、当該文字列部分が各デモ用データＤの表示順を示すものとなっている。なお、本明細書では、文字とは数字を含む概念である。
【００４７】
また、本実施形態においては、デモ用データ出力制御部３０は、デモ用データＤのファイル名から所定の条件で抽出した文字に基づいて、当該デモ用データＤの表示時間を決定する。本実施形態では、デモ用データ出力制御部３０は、デモ用データＤのうち、「＿（アンダーバー）」に後続する数字を抽出し、抽出された数字分の秒数、当該デモ用データＤを表示させる。例えば、デモ用データＤのファイル名が「001_image_10.png」である場合、「001_image_10.png」というファイル名から「10」という数字が抽出される。その結果、当該デモ用データＤの表示時間が１０秒間に決定される。なお、デモ用データＤの表示時間を示す文字は数字に限られない。例えば、「AAA」は１０秒、「BBB」は２０秒というような対応関係を予め定義しておくことで、デモ用データＤのファイル名から「AAA」が抽出されたときには当該デモ用データＤを１０秒表示させる、ということも可能である。
【００４８】
本実施形態では、上述のように、各デモ用データＤの表示順及び表示時間が決定される。したがって、例えば図２に示すファイル名の３つのデモ用データがデモ用フォルダに格納されている場合、デモ用データ出力制御部３０は、まず「001_image_10.png」を１０秒間表示させ、次いで「002_image_5.png」を５秒間表示させ、さらに「003_image_60.png」を６０秒間表示させる。その後、再度「001_image_10.png」から表示させる（つまり３つのデモ用データＤをループ表示させる）ようにしてもよい。
【００４９】
また、デモ用データ出力制御部３０は、電子機器１０がデモモードで動作している場合であって、電子機器１０に対する操作が所定時間無い場合、すなわち電子機器１０に対して最後に操作されてから所定時間経過した場合に、外部メモリＥｘＭ内のデモ用データＤを表示部１２に表示させる。換言すれば、電子機器１０がデモモードで動作している場合であっても、例えば、展示された電子機器１０を客などが試操作している間は、デモ用データＤは表示部１２には表示されない。その場合は、表示部１２には、客などの試操作に応じた画面が表示される。
【００５０】
本実施形態に係る電子機器１０の構成は以上の通りである。本実施形態における電子機器１０においては、外部メモリＥｘＭ内にデモ用データＤが検出された場合にデモモードで動作し、外部メモリＥｘＭが接続されていない場合、及び、外部メモリＥｘＭ内にデモ用データＤが検出されなかった場合には通常モードで動作する。つまり、電子機器１０は、通常は通常モードで動作するが、外部メモリＥｘＭに記憶されたデモ用データＤをトリガとしてデモモードで動作するようになる。したがって、デモモード専用のソフトウェアと通常モード専用のソフトウェアを別々に用意する必要なく、電子機器１０においては簡易な操作でデモモードと通常モードの切り替えを行うことができる。
【００５１】
具体的には、例えば、店頭などの展示場所においては、展示者は、デモ用フォルダにデモ用データＤが格納された外部メモリＥｘＭを電子機器１０に接続するだけで、電子機器１０をデモモードで動作させることができる。その上で、電子機器１０は、デモ用データＤが記憶された外部メモリＥｘＭが抜かれた状態でユーザに渡されるから、ソフトウェアの書き換え（改変）など必要なく、ユーザが通常使用する際には、電子機器１０は通常モードで動作することになる。少なくとも、デモ用フォルダの名称がユーザに知られない限り、電子機器１０がユーザによる通常使用時によりデモモードで動作することは、ほぼないといえる。ユーザによる通常使用時に、電子機器１０がデモモードに入ってしまう可能性を低減させる観点からは、ユーザが外部メモリ内に作成したフォルダ名とデモ用のフォルダ名の偶然一致を避けるために、デモ用フォルダのフォルダ名は、複雑（例えば長くて意味のない文字列など）であって、ユーザが通常使用しないような名称であるのが好ましい。
【００５２】
デモ用データ検出部２４が、フォルダ名のみではなく、フォルダパスを考慮してデモ用フォルダを検出することによっても、ユーザによる通常使用時に電子機器１０がデモモードに入ってしまう可能性をより低減させることができる。すなわち、ユーザによる通常使用時において、偶然にも、デモ用フォルダと同じフォルダ名のフォルダが外部メモリに存在し、その中に偶々画像データが入っていたとしても、当該フォルダのフォルダパスが、予め定められたフォルダパスと一致しない限り、電子機器１０がデモモードで動作することはないからである。
【００５３】
本実施形態に係る電子機器１０は、音楽ファイルを再生する携帯用オーディオプレイヤであるところ、ユーザは、通常使用時において、画像ファイルを記憶させた外部メモリを電子機器１０に接続させることはそれほどないと考えられる。したがって、オーディオプレイヤである電子機器１０に対してデモ用データＤを画像データとすることで、ユーザによる通常使用時に電子機器１０がデモモードに入ってしまう可能性をより低減させることができる。
【００５４】
外部メモリＥｘＭにデモ用データＤが記憶されている場合であって、さらに、バッテリ１８が充電中である場合に、電子機器１０をデモモードで動作させるようにすることで、ユーザによる通常使用中にデモモードに入ってしまう可能性がさらに低減される。すなわち、この場合は、電子機器１０が充電中でない限り、デモモードには入らないからである。展示場所においては、電子機器１０は充電状態で展示されるのが一般的であり、一方において、電子機器１０が携帯用電子機器であれば、ユーザによる通常使用時においては電子機器１０が充電中でないことが多いと考えられる。このことを鑑みれば、電子機器１０が充電中のときのみにデモモードで動作し得るとすることは、展示場所においては電子機器１０をデモモードで動作させることを可能とした上で、ユーザによる通常使用時にデモモードに入ることを防ぐ有効な手段であるといえる。
【００５５】
本実施形態によれば、外部メモリＥｘＭのデモ用フォルダに格納された任意の画像ファイルがデモ用データＤとして検出され、デモモードにおいて当該画像ファイルが表示される。つまり、展示者は、デモモードにおいて表示される画像ファイルを任意に選択することが可能になっている。デモモード専用のソフトウェアが用意された場合であって、デモモードにおいて表示される画像が当該ソフトウェアによって固定的に定義されている場合、電子機器１０の展示者は、当該ソフトウェアの書き換えをしない限り、デモモードにおいて表示される画像を自ら選択することができなくなることが考えられる。その点、本実施形態によれば、展示者は、任意の画像ファイルを外部メモリＥｘＭのデモ用フォルダに格納し、当該外部メモリＥｘＭを電子機器１０に接続することで、デモモードにおいて任意の画像ファイルを表示させることができる。そして、別の画像ファイルを表示させたくなった場合には、外部メモリＥｘＭのデモ用フォルダ内の画像ファイルを変更すればよいだけである。さらに、上述のように、デモ用データＤとしての画像ファイルのファイル名を適宜設定することで、展示者は、デモモードにおける各画像ファイルの表示順、及び各画像データの表示時間などの出力態様までも任意に設定することができる。
【００５６】
本実施形態においては、電子機器１０がデモモードで動作している場合であって、電子機器１０に対する操作が所定時間無い場合に、デモ用データＤが表示される。つまり、展示場所において、客などが電子機器１０を試操作している最中にはデモ用データＤは表示されない。この場合には、当該試操作に応じた画面が表示部１２に表示される。これにより、デモ用データＤの表示が客などによる試操作を妨げることがない。
【００５７】
以下、図３に示すフローチャートに従って、本実施形態に係る電子機器１０の処理の流れを説明する。
【００５８】
ステップＳ１０において、デモ用データ検出部２４は、外部メモリ接続部１６に外部メモリＥｘＭが接続されているか否かを検出する。ステップＳ１０で、外部メモリＥｘＭが接続されていないと判定された場合はステップＳ１２に進み、ステップＳ１２において動作モード制御部２８は、電子機器１０を通常モードで動作させる。ステップＳ１０で、外部メモリＥｘＭが接続されている判定された場合はステップＳ１４に進む。
【００５９】
ステップＳ１４において、デモ用データ検出部２４は、外部メモリＥｘＭ内に、特定の名称のデモ用フォルダが特定の位置にあるか否かを判定する。例えば、外部メモリＥｘＭ内に「D:\Demo\Gazo_folder」のフォルダパス（フォルダ名含む）を有するデモ用フォルダが存在するか否かを判定する。デモ用フォルダが存在しない場合はステップＳ１２に進み、ステップＳ１２において動作モード制御部２８は、電子機器１０を通常モードで動作させる。デモ用フォルダが存在する場合はステップＳ１６に進む。
【００６０】
ステップＳ１６において、デモ用データ検出部２４は、ステップＳ１４で検出されたデモ用フォルダ内に画像ファイルが存在するか否かを判定する。デモ用フォルダ内に画像ファイルが存在しない場合はステップＳ１２に進み、ステップＳ１２において動作モード制御部２８は、電子機器１０を通常モードで動作させる。デモ用フォルダ内に画像ファイルが存在する場合はステップＳ１８に進む。なお、本フローチャートにおけるステップＳ１０、Ｓ１４、及びＳ１６が検出ステップに相当する。
【００６１】
ステップＳ１８において、充電判定部２６は、バッテリ１８が充電中であるか否かを判定する。バッテリ１８が充電中でない場合はステップＳ１２に進み、ステップＳ１２において動作モード制御部２８は、電子機器１０を通常モードで動作させる。バッテリ１８が充電中である場合はステップＳ２０に進む。
【００６２】
ステップＳ２０において、動作モード制御部２８は、電子機器１０をデモモードで動作させる。上述のように、デモモードは通常モードとは異なる動作をする動作モードであり、例えば、再生音の音質設定が最高音質に固定され、また、以下のステップＳ２２からＳ２４の処理によってデモ用データが表示される。なお、本フローチャートにおけるステップＳ１２及びＳ２０が動作モード制御ステップに相当する。
【００６３】
ステップＳ２２において、デモ用データ出力制御部３０は、電子機器１０が最後に操作されてから所定時間経過したか否かを判定する。電子機器１０が最後に操作されてから未だ所定時間経過していない場合は、再度ステップＳ２２の判定を行う。最後の操作から所定時間経過するまで、デモ用データ出力制御部３０は間欠的にステップＳ２２の判定を行う。電子機器１０が最後に操作されてから所定時間経過した場合は、ステップＳ２４に進む。
【００６４】
ステップＳ２４において、デモ用データ出力制御部３０は、外部メモリＥｘＭ内のデモ用フォルダに格納されたデモ用データである画像ファイルを表示部１２に表示させる。このとき、上述のように、画像ファイルのファイル名に基づいて、当該画像ファイルの表示順や表示時間が決定される。
【００６５】
以上、本発明に係る実施形態を説明したが、本発明は上記実施形態に限られるものではなく、本発明の趣旨を逸脱しない限りにおいて種々の変更が可能である。
【符号の説明】
【００６６】
１０  電子機器、１２  表示部、１４  音声出力部、１６  外部メモリ接続部、１８  バッテリ、２０  外部電源接続部、２２  制御部、２４  デモ用データ検出部、２６  充電判定部、２８  動作モード制御部、３０  デモ用データ出力制御部。
【図１】
2018146840.tif 000003
【図２】
2018146840.tif 000004
【図３】
2018146840.tif 000005